(57)【要約】【課題】振動放射に伴うノイズを低減するとともに、十分な強度を有するスピーカボックスを実現する。【解決手段】スピーカボックス１を、樹脂板１ａと、振動を吸収する制振合金板１ｂとが積層された構造のラミネート材１ｃによって形成することにより、そのスピーカボックス１はラミネート材１ｃの制振合金板１ｂが有する振動の伝播減衰効果により、スピーカボックス１に配置されるスピーカ２の音圧によって振動しにくくなっているので、スピーカボックス１の振動放射に伴う音響歪やノイズ音の発生を低減することができる。また、スピーカボックス１は、樹脂板１ａと制振合金板１ｂとが積層された厚みや、それらの剛性を兼ね備えたラミネート材１ｃからなるので、スピーカボックス１の内部に配置されるスピーカ２を保護したり、そのスピーカボックス１の形状を維持したりするための十分な強度を有する。【選択図】図１
2008103935.tif 000002
【特許請求の範囲】
【請求項１】
所定面から音を出力するようにスピーカが配置されるスピーカボックスであって、
当該スピーカボックスは、振動を吸収する鉄／アルミ合金からなる制振合金板を樹脂板で挟み込んだサンドイッチ状のラミネート材が、前記所定面とその所定面と対向する対向面の少なくとも２面に配されてなることを特徴とするスピーカボックス。
【請求項２】
所定面から音を出力するようにスピーカが配置されるスピーカボックスであって、
当該スピーカボックスは、樹脂板と、振動を吸収する制振合金板とが積層されたラミネート材からなることを特徴とするスピーカボックス。
【請求項３】
前記ラミネート材は、前記制振合金板を前記樹脂板で挟み込んだサンドイッチ状の板材であることを特徴とする請求項２に記載のスピーカボックス。
【請求項４】
前記制振合金板は、鉄／アルミ合金であることを特徴とする請求項２又は３に記載のスピーカボックス。
【請求項５】
当該スピーカボックスにおける前記所定面とその所定面と対向する対向面との、少なくとも２面が、前記ラミネート材で構成されていることを特徴とする請求項２〜４の何れか一項に記載のスピーカボックス。
【発明の詳細な説明】
【技術分野】
【０００１】
本発明は、スピーカボックスに関する。
【背景技術】
【０００２】
従来、スピーカが内蔵される箱体を、ゴム系素材などの樹脂素材を挟み込んでなる層状の板材を用いて形成することにより、スピーカの音圧によって振動する箱体の振動放射に伴うノイズを低減するスピーカボックスが知られている（例えば、特許文献１〜特許文献４参照。）。
【特許文献１】特開２００６−１１５３０３号公報
【特許文献２】特開２００２−１１２３７２号公報
【特許文献３】特開平１１−８８９７４号公報
【特許文献４】特開昭５８−５５２３９号公報
【発明の開示】
【発明が解決しようとする課題】
【０００３】
しかしながら、上記従来技術の場合、スピーカボックスの強度が低下してしまうことがあるという問題があった。
【０００４】
本発明の目的は、振動放射に伴うノイズを低減するとともに、十分な強度を有するスピーカボックスを提供することである。
【課題を解決するための手段】
【０００５】
以上の課題を解決するため、請求項１に記載の発明は、
所定面から音を出力するようにスピーカが配置されるスピーカボックスであって、
当該スピーカボックスは、振動を吸収する鉄／アルミ合金からなる制振合金板を樹脂板で挟み込んだサンドイッチ状のラミネート材が、前記所定面とその所定面と対向する対向面の少なくとも２面に配されてなることを特徴とする。
【０００６】
請求項２に記載の発明は、
所定面から音を出力するようにスピーカが配置されるスピーカボックスであって、
当該スピーカボックスは、樹脂板と、振動を吸収する制振合金板とが積層されたラミネート材からなることを特徴とする。
【０００７】
請求項３に記載の発明は、請求項２に記載のスピーカボックスにおいて、
前記ラミネート材は、前記制振合金板を前記樹脂板で挟み込んだサンドイッチ状の板材であることを特徴とする。
【０００８】
請求項４に記載の発明は、請求項２又は３に記載のスピーカボックスにおいて、
前記制振合金板は、鉄／アルミ合金であることを特徴とする。
【０００９】
請求項５に記載の発明は、請求項２〜４の何れか一項に記載のスピーカボックスにおいて、
当該スピーカボックスにおける前記所定面とその所定面と対向する対向面との、少なくとも２面が、前記ラミネート材で構成されていることを特徴とする。
【発明の効果】
【００１０】
請求項１に記載の発明によれば、スピーカボックスは、樹脂板と、振動を吸収する制振合金板とが積層されたラミネート材からなっている。
つまり、スピーカボックスは、ラミネート材の制振合金板が有する振動を伝播減衰する効果により、スピーカボックスに配置されるスピーカの音圧によって振動しにくくなっているので、スピーカボックスの振動放射に伴う音響歪やノイズ音の発生を低減することができる。また、スピーカボックスは、樹脂板と制振合金板とが積層された厚みや、それらの剛性を兼ね備えたラミネート材からなるので、スピーカボックスの内部に配置されるスピーカを保護したり、そのスピーカボックスの形状を維持したりするための十分な強度を有している。
よって、このスピーカボックスは、振動放射に伴うノイズを低減するとともに、十分な強度を有するスピーカボックスであるといえる。
【００１１】
特に、スピーカボックスのラミネート材は、振動を吸収する鉄／アルミ合金からなる制振合金板を樹脂板で挟み込んだ３層のサンドイッチ状であるので、スピーカボックスの振動放射に伴うノイズを低減する効果を備えつつ、より強い剛性を備えることができる。
また、その鉄／アルミ合金からなる制振合金板が有する磁気シールド効果によって、スピーカボックスは防磁タイプとなるため、新たな磁気カット部材を備える必要がなくなるので、その分のコストダウンを図ることができる。
そして、スピーカボックスにおいて、スピーカ出力に伴う音圧が作用しやすくて振動しやすい所定面と、その所定面と対向する対向面の少なくとも２面をラミネート材で構成することによって、スピーカボックスの振動放射に伴う音響歪やノイズ音の発生をより好適に低減することが可能になる。
【００１２】
請求項２に記載の発明によれば、スピーカボックスは、樹脂板と、振動を吸収する制振合金板とが積層されたラミネート材からなっている。
つまり、スピーカボックスはラミネート材の制振合金板が有する、振動の伝播減衰効果により、スピーカボックスに配置されるスピーカの音圧によって振動しにくくなっているので、スピーカボックスの振動放射に伴う音響歪やノイズ音の発生を低減することができる。
また、スピーカボックスは、樹脂板と制振合金板とが積層された厚みや、それらの剛性を兼ね備えたラミネート材からなるので、スピーカボックスの内部に配置されるスピーカを保護したり、そのスピーカボックスの形状を維持したりするための十分な強度を有している。
よって、このスピーカボックスは、振動放射に伴うノイズを低減するとともに、十分な強度を有するスピーカボックスであるといえる。
【００１３】
請求項３に記載の発明によれば、請求項２に記載の発明と同様の効果が得られることは無論のこと、スピーカボックスのラミネート材は、制振合金板を樹脂板で挟み込んだ３層のサンドイッチ状の板材であるので、スピーカボックスの振動放射に伴うノイズを低減する効果を備えつつ、より強い剛性を備えることができる。
【００１４】
請求項４に記載の発明によれば、請求項２又は３に記載の発明と同様の効果が得られることは無論のこと、スピーカボックスの制振合金板は、鉄／アルミ合金であるので、スピーカボックスは、より好適な振動の伝播減衰効果を有するとともに、磁気シールド効果を有することとなり、スピーカボックスを防磁タイプにするために、新たな磁気カット部材を備える必要がないので、その分のコストダウンを図ることができる。
【００１５】
請求項５に記載の発明によれば、請求項２〜４の何れか一項に記載の発明と同様の効果が得られることは無論のこと、スピーカボックスにおける所定面とその所定面と対向する対向面との、少なくとも２面が、ラミネート材で構成されている。
つまり、スピーカボックスにおいて、スピーカ出力に伴う音圧が作用しやすくて振動しやすい所定面と、その所定面と対向する対向面の少なくとも２面をラミネート材で構成することによって、スピーカボックスの振動放射に伴う音響歪やノイズ音の発生をより好適に低減することが可能になる。
【発明を実施するための最良の形態】
【００１６】
以下に、本発明に係るスピーカボックスについて、図面を用いて具体的な態様を説明する。ただし、発明の範囲は図示例に限定されない。
【００１７】
スピーカ装置１０は、図１に示すように、箱状のスピーカボックス１と、スピーカボックス１の所定面である前面１１から音を出力するように配置されるスピーカ２と、を備えている。
【００１８】
スピーカボックス１は、略直方体形状を呈しており、その前面１１に円形の開口１２が形成されている。このスピーカボックス１の内部に配置されたスピーカ２が、その開口１２から露出し、音を出力するようになっている。
【００１９】
スピーカ２は、例えば、ボイスコイルと、そのボイスコイルに取り付けられた振動板とを有する周知のスピーカであり、スピーカボックス１の前面１１の開口１２から音を出力するように、スピーカボックス１の内部に配設されている。
なお、スピーカ２の構成や動作は従来公知のものと同様であるので、ここでは詳述しない。
【００２０】
そして、このスピーカ装置１０において、このスピーカボックス１にスピーカボックス１の共振周波数（固有振動数）と等しい振動が作用した際に、スピーカボックス１はその周波数特性で共振してしまい、その共振に伴う振動が音響歪やノイズ音となって発せられてしまうことがある。
このような直方体形状のスピーカボックス１の場合、スピーカボックス１の前面１１と、その前面１１と対向する後面１３とに、スピーカ２が音を出力する際の音圧がかかりやすいので、特に、前面１１と後面１３が振動しやすくなっている。
【００２１】
このスピーカ２の音圧などによるスピーカボックス１の振動を防止するために、本発明に係るスピーカボックス１は、樹脂板１ａと、振動を吸収する制振合金板１ｂとが積層されたラミネート材１ｃであって、図２に示すように、制振合金板１ｂを樹脂板１ａで挟み込んだサンドイッチ状の板材であるラミネート材１ｃを用いて形成されている。
【００２２】
スピーカボックス１の材料であるラミネート材１ｃを構成する樹脂板１ａは、例えば、ＡＢＳ樹脂（アクリロニトリル、ブタジエン、スチレンの共重合化合物（コポリマー））からなる剛性、耐衝撃性に優れたプラスチック板である。
また、ラミネート材１ｃを構成する制振合金板１ｂは、鉄／アルミ合金からなる振動吸収性に優れた特殊合金板である。この制振合金板１ｂは、スピーカボックス１（ラミネート材１ｃ）に作用する振動を、制振合金板１ｂの全体に伝播させるようにして吸収することができ、従来用いられていたゴム系素材など比べて振動の伝播減衰効率がよく、制振効率が高い素材である。なお、振動を好適に吸収する特殊制振合金に関する技術は、周知技術であるので、ここでは詳述しない。
【００２３】
このラミネート材１ｃにおける樹脂板１ａの厚みは、例えば、それぞれ０．５［ｍｍ］であり、制振合金板１ｂの厚みは、例えば、０．５［ｍｍ］である。つまり、このラミネート板１ｃは、１．５［ｍｍ］の厚みを有している。
【００２４】
そして、このようなラミネート材１ｃによって、スピーカボックス１における前面１１と、その前面１１に対向する位置の対向面である後面１３との、少なくとも２面を構成することが好ましく、特に本実施形態のように、直方体の６面全てをラミネート材１ｃによって構成することが好ましい。
【００２５】
このようなスピーカボックス１であれば、スピーカ２の音圧によって振動しにくくなっているので、スピーカボックス１の振動放射に伴う音響歪やノイズ音の発生を低減することができる。
また、このスピーカボックス１は、剛性や耐衝撃性に優れたＡＢＳ樹脂からなる樹脂板１ａと、鉄／アルミ合金からなる制振合金板１ｂとが積層された板材であるラミネート材１ｃによって形成されているので、その内部に配置されているスピーカ２を保護したり、スピーカボックス１の形状を維持したりするための十分な強度や剛性を有している。
よって、スピーカボックス１は、振動放射に伴うノイズを低減するとともに、十分な強度を有するスピーカボックスであるといえる。
【００２６】
また、このスピーカボックス１を構成するラミネート材１ｃには、鉄／アルミ合金からなる制振合金板１ｂが含まれているので、スピーカボックス１は磁気シールド効果を有することとなり、スピーカ装置１０を防磁タイプにするために、新たな磁気カット部材を備える必要がなくなるため、その分のコストダウンを図ることができる。
【００２７】
なお、以上の実施の形態においては、制振合金板１ｂの両面を樹脂板１ａで挟み込んだサンドイッチ状の板材であるラミネート材１ｃを例に挙げて説明したが、本発明はこれに限定されるものではなく、例えば、樹脂板１ａと制振合金板１ｂの２枚を積層してなるラミネート材などであってもよい。
また、以上の実施の形態においては、スピーカボックス１を略直方体形状として説明したが、本発明はこれに限定されるものではなく、その他の形状であってもよい。
【００２８】
また、その他、具体的な細部構造等についても適宜に変更可能であることは勿論である。
【図面の簡単な説明】
【００２９】
【図１】本発明に係るスピーカボックスを備えるスピーカ装置を示す一部破断斜視図である。
【図２】本発明に係るスピーカボックスの断面を示す拡大図（図１のII部分の拡大図）である。
【符号の説明】
【００３０】
１      スピーカボックス
１１    前面（所定面）
１２    開口
１３    後面（対向面）
１ａ    樹脂板
１ｂ    制振合金板
１ｃ    ラミネート材
２      スピーカ
１０    スピーカ装置
【図１】
2008103935.tif 000003
【図２】
2008103935.tif 000004